(57)【要約】【課題】有色の記録媒体上に白色の画像情報に基づく元の白色画像を形成する場合に比べて、ドット形状のばらつきが少ない画像を形成することができる画像形成装置及びプログラムを提供する。【解決手段】白色トナーにより白色トナー像を形成する第１像形成部と、有色トナーにより有色トナー像を形成する第２像形成部と、形成されたトナー像を記録媒体に転写する転写部と、白色の画像情報に基づいて白色ドットにより有色の記録媒体上に形成される白色画像の網点面積率が閾値より大きく且つ１００％未満になる場合には、有色の記録媒体上に白色トナーにより白色ベタ画像が形成され、白色ベタ画像上の白色画像の白色ドット間に対応する部位に、有色の記録媒体と同じ色の有色ドットを有する有色画像が有色トナーにより形成されるように、各部による画像形成を制御する制御部と、を備えた画像形成装置とする。【選択図】図５
2018156031.tif 000002
【特許請求の範囲】
【請求項１】
白色トナーにより白色トナー像を形成する第１像形成部と、
有色トナーにより有色トナー像を形成する第２像形成部と、
形成されたトナー像を記録媒体に転写する転写部と、
白色の画像情報に基づいて白色ドットにより有色の記録媒体上に形成される白色画像の網点面積率が閾値より大きく且つ１００％未満になる場合には、
前記有色の記録媒体上に白色トナーにより白色ベタ画像が形成され、
前記白色ベタ画像上の前記白色画像の白色ドット間に対応する部位に、前記有色の記録媒体と同じ色の有色ドットを有する有色画像が前記有色トナーにより形成されるように、
前記第１像形成部、前記第２像形成部、及び前記転写部による画像形成を制御する制御部と、
を備えた画像形成装置。
【請求項２】
白色トナーにより白色トナー像を形成する第１像形成部と、
有色トナーにより有色トナー像を形成する第２像形成部と、
形成されたトナー像を記録媒体に転写する転写部と、
白色の画像情報に基づいて白色ドットにより有色の記録媒体上に形成される白色画像の網点面積率が閾値より大きく且つ１００％未満になる場合には、
前記有色の記録媒体上に白色トナーにより白色ベタ画像が形成され、
前記白色ベタ画像上の前記白色画像の白色ドット間に対応する部位に、前記有色の記録媒体から取得された色の有色ドットを有する有色画像が前記有色トナーにより形成されるように、
前記第１像形成部、前記第２像形成部、及び前記転写部による画像形成を制御する制御部と、
を備えた画像形成装置。
【請求項３】
前記制御部は、
白色の画像情報に基づいて白色ドットにより有色の記録媒体上に形成される白色画像の網点面積率が閾値以下になる場合には、
白色トナーにより前記白色画像が形成されるように、
前記第１像形成部、前記第２像形成部、及び前記転写部による画像形成を制御する、
請求項１または請求項２に記載の画像形成装置。
【請求項４】
前記白色トナーの粒径が前記有色トナーの粒径よりも大きい、
請求項１から請求項３までのいずれか１項に記載の画像形成装置。
【請求項５】
前記閾値が、前記白色ベタ画像上の前記白色画像の白色ドット間に対応する部位に前記有色ドットが形成される場合のドットのばらつきを表す値が、前記有色の記録媒体上に前記白色トナーにより前記白色画像が形成される場合のドットのばらつきを表す値と等しくなる場合の、前記白色画像の網点面積率である、請求項１から請求項４までのいずれか１項に記載の画像形成装置。
【請求項６】
前記閾値が、記録媒体の種類に応じて予め設定されている、
請求項１から請求項５までのいずれか１項に記載の画像形成装置。
【請求項７】
前記閾値が、５０％である、
請求項１から請求項５までのいずれか１項に記載の画像形成装置。
【請求項８】
コンピュータを、
請求項１から請求項７までのいずれか１項に記載の画像形成装置の制御部として機能させるためのプログラム。
【発明の詳細な説明】
【技術分野】
【０００１】
本発明は、画像形成装置及びプログラムに関する。
【背景技術】
【０００２】
特許文献１には、帯電された静電潜像担持体表面に、光書き込み手段にて光を照射することで静電潜像を形成し、該静電潜像担持体と現像手段との間に印加する現像バイアスによって上記静電潜像にトナーを供給してトナー画像を形成し、該トナー画像を転写材に転写して２値画像を形成する、電子写真方式の画像形成装置において、白色トナーを除く有色トナーにて形成された有色トナー画像に対し、表現する階調に応じて有色トナー画像の一部面積を隠蔽するように、白色トナーにて形成される白色トナー画像が配置されることを特徴とする画像形成装置が開示されている。
【先行技術文献】
【特許文献】
【０００３】
【特許文献１】特開２００１-３５０３１０号公報
【発明の概要】
【発明が解決しようとする課題】
【０００４】
本発明の目的は、有色の記録媒体上に白色の画像情報に基づく元の白色画像を形成する場合に比べて、ドット形状のばらつきが少ない画像を形成することができる画像形成装置及びプログラムを提供することにある。
【課題を解決するための手段】
【０００５】
上記目的を達成するために請求項１に記載の発明は、白色トナーにより白色トナー像を形成する第１像形成部と、有色トナーにより有色トナー像を形成する第２像形成部と、形成されたトナー像を記録媒体に転写する転写部と、白色の画像情報に基づいて白色ドットにより有色の記録媒体上に形成される白色画像の網点面積率が閾値より大きく且つ１００％未満になる場合には、前記有色の記録媒体上に白色トナーにより白色ベタ画像が形成され、前記白色ベタ画像上の前記白色画像の白色ドット間に対応する部位に、前記有色の記録媒体と同じ色の有色ドットを有する有色画像が前記有色トナーにより形成されるように、前記第１像形成部、前記第２像形成部、及び前記転写部による画像形成を制御する制御部と、を備えた画像形成装置である。
【０００６】
請求項２に記載の発明は、白色トナーにより白色トナー像を形成する第１像形成部と、有色トナーにより有色トナー像を形成する第２像形成部と、形成されたトナー像を記録媒体に転写する転写部と、白色の画像情報に基づいて白色ドットにより有色の記録媒体上に形成される白色画像の網点面積率が閾値より大きく且つ１００％未満になる場合には、前記有色の記録媒体上に白色トナーにより白色ベタ画像が形成され、前記白色ベタ画像上の前記白色画像の白色ドット間に対応する部位に、前記有色の記録媒体から取得された色の有色ドットを有する有色画像が前記有色トナーにより形成されるように、前記第１像形成部、前記第２像形成部、及び前記転写部による画像形成を制御する制御部と、を備えた画像形成装置である。
【０００７】
請求項３に記載の発明は、前記制御部は、白色の画像情報に基づいて白色ドットにより有色の記録媒体上に形成される白色画像の網点面積率が閾値以下になる場合には、白色トナーにより前記白色画像が形成されるように、前記第１像形成部、前記第２像形成部、及び前記転写部による画像形成を制御する、請求項１または請求項２に記載の画像形成装置である。
【０００８】
請求項４に記載の発明は、前記白色トナーの粒径が前記有色トナーの粒径よりも大きい、請求項１から請求項３までのいずれか１項に記載の画像形成装置である。
【０００９】
請求項５に記載の発明は、前記閾値が、前記白色ベタ画像上の前記白色画像の白色ドット間に対応する部位に前記有色ドットが形成される場合のドットのばらつきを表す値が、前記有色の記録媒体上に前記白色トナーにより前記白色画像が形成される場合のドットのばらつきを表す値と等しくなる場合の、前記白色画像の網点面積率である、請求項１から請求項４までのいずれか１項に記載の画像形成装置である。
【００１０】
請求項６に記載の発明は、前記閾値が、記録媒体の種類に応じて予め設定されている、請求項１から請求項５までのいずれか１項に記載の画像形成装置である。
【００１１】
請求項７に記載の発明は、前記閾値が、５０％である、請求項１から請求項５までのいずれか１項に記載の画像形成装置である。
【００１２】
請求項８に記載の発明は、コンピュータを、請求項１から請求項７までのいずれか１項に記載の画像形成装置の制御部として機能させるためのプログラムである。
【発明の効果】
【００１３】
請求項１、請求項２、請求項８に記載の発明によれば、有色の記録媒体上に白色の画像情報に基づく元の白色画像を形成する場合に比べて、ドット形状のばらつきが少ない画像を形成することができる。
【００１４】
請求項３に記載の発明によれば、元の白色画像に代えて白色ベタ画像上に有色ドットを形成する場合に比べて、ドット色味のばらつきが少ない画像を形成することができる。
【００１５】
請求項４に記載の発明によれば、白色トナーの粒径が有色トナーの粒径と同じ大きさの場合に比べて、ドット形状のばらつきを抑制する効果が高くなる。
【００１６】
請求項５に記載の発明によれば、ドット形状のばらつき及びドット色味のばらつきの各々が増加しないように、画像形成の制御を切り替えることができる。
【００１７】
請求項６に記載の発明によれば、記録媒体の種類に応じて閾値を設定しない場合と比べて、記録媒体の種類に応じたドット形状のばらつきを低減することができる。
【００１８】
請求項７に記載の発明によれば、中間調の代表値である５０％より面積階調率が大きい元の白色画像を形成する場合に比べて、ドット形状のばらつきが少ない画像を形成することができる。
【図面の簡単な説明】
【００１９】
【図１】本発明の実施の形態に係る画像形成装置の構成の一例を示す概略図である。
【図２】本発明の実施の形態に係る画像形成装置に備えられたトナー像形成部の構成の一例を示す概略図である。
【図３】本発明の実施の形態に係る画像形成装置の電気的構成の一例を示すブロック図である。
【図４】本発明の実施の形態に係る画像形成装置の操作表示部に表示される設定画面の一例を示す模式図である。
【図５】（Ａ）は黒色の記録媒体上に白色トナーで形成された白色画像を示す模式図である。（Ｂ）は黒色の記録媒体に形成された白色ベタ画像上に黒色トナーで形成された黒色画像を示す模式図である。
【図６】黒色の記録媒体上に形成された画像の総合ばらつき値を示すグラフである。
【図７】（Ａ）は黒色の記録媒体上にＷ画像が形成された状態を示す模式図である。（Ｂ）は黒色の記録媒体上にＷ＋Ｋ画像が形成された状態を示す模式図である。
【図８】（Ａ）は黒色の記録媒体上にＷ画像が形成された状態を示す模式図である。（Ｂ）は黒色の記録媒体上にＷ＋Ｋ画像が形成された状態を示す模式図である。
【図９】本発明の実施の形態に係る画像形成装置の制御部で実行される「白色画像モード処理」の手順の一例を示すフローチャートである。
【図１０】収容器と記録媒体の色及び種類との関係の一例を示す図表である。
【図１１】記録媒体の種類と閾値との関係の一例を示す図表である。
【発明を実施するための形態】
【００２０】
以下、図面を参照して本発明の実施の形態の一例を詳細に説明する。
【００２１】
＜画像形成装置＞
まず、画像形成装置の構成について説明する。
図１は本発明の実施の形態に係る画像形成装置の構成の一例を示す概略図である。図１に示されるように、画像形成装置１０は、電子写真方式によりシート状の記録媒体Ｐに画像を形成する画像形成部１２と、記録媒体Ｐを搬送する搬送装置５０と、を有している。
【００２２】
（画像形成部）
画像形成部１２は、トナー像を形成するトナー像形成部２０と、トナー像形成部２０で形成されたトナー像を記録媒体Ｐに転写する転写装置３０と、記録媒体Ｐに転写されたトナー像を記録媒体Ｐに定着する定着装置４０と、を有している。
【００２３】
トナー像形成部２０は、色ごとにトナー像を形成するように複数備えられている。この実施の形態では、第１特別色（Ｖ）、第２特別色（Ｗ）、イエロー（Ｙ）、マゼンタ（Ｍ）、シアン（Ｃ）、ブラック（Ｋ）の計６色のトナー像形成部２０が設けられている。図１に示す（Ｖ）、（Ｗ）、（Ｙ）、（Ｍ）、（Ｃ）、（Ｋ）は、上記各色を示している。転写装置３０は、各色のトナー像が重畳して一次転写された転写ベルト３１から、転写ニップＮＴにおいて記録媒体Ｐに、その重畳されたトナー像を転写するようになっている。
【００２４】
なお、第１特別色（Ｖ）及び第２特別色（Ｗ）には、画像形成装置１０の利用者が使用したい任意の色が用いられる。また、トナー像形成部２０Ｖ及びトナー像形成部２０Ｗの少なくとも一方を使用しなくてもよい。本実施の形態では、第２特別色（Ｗ）として、白色顔料を含む白色トナーによる白色を用いると共に、第１特別色（Ｖ）のトナー像形成部２０を使用しない例について説明する。
【００２５】
（トナー像形成部）
ここで、トナー像形成部の詳細構成について説明する。
図２は本発明の実施の形態に係る画像形成装置に備えられたトナー像形成部の構成の一例を示す概略図である。各色のトナー像形成部２０は、用いるトナーを除き基本的に同様に構成されている。したがって、以下、各色のトナー像形成部２０について、特に区別することなく説明する。トナー像形成部２０は、図２に示されるように、感光体ドラム２１と、帯電器２２と、露光装置２３と、現像装置２４と、電荷付与装置２６と、清掃装置２５と、を有している。
【００２６】
感光体ドラム２１は、円筒状に形成されて接地され、図示しない駆動手段によって自軸周りに回転駆動されるようになっている。感光体ドラム２１の表面には、一例として負の帯電極性を呈する感光層が形成されている。図１に示されるように、各色の感光体ドラム２１は、正面視で装置幅方向に沿って直線状に並べて配置されている。
【００２７】
帯電器２２は、図２に示されるように、感光体ドラム２１の表面（感光層）を負極性に帯電させるようになっている。この実施の形態では、帯電器２２は、コロナ放電方式（非接触帯電方式）のスコロトロン帯電器とされている。
【００２８】
露光装置２３は、感光体ドラム２１の表面に静電潜像を形成するようになっている。具体的には、制御部７０から受け取った画像データに応じて、変調した露光光Ｌを帯電器２２により帯電された感光体ドラム２１の表面に照射するようになっている。この露光装置２３によって露光光Ｌが照射された部分は、正極性を呈し、感光体ドラム２１の表面には静電潜像が形成される。
【００２９】
現像装置２４は、トナー（現像剤）を現像ロール２４１で保持し、現像ロール２４１で保持したトナーで、感光体ドラム２１の表面に形成された静電潜像を現像することで、感光体ドラム２１の表面にトナー像を形成するようになっている。具体的には、現像ロール２４１で保持したトナーを感光体ドラム２１に静電力によって付着させてトナー像を形成するようになっている。すなわち、負極性のトナーが、正極性を呈する静電潜像に付着して現像される。
【００３０】
電荷付与装置２６は、転写後の感光体ドラム２１に電荷を付与して、感光体ドラム２１上の画像履歴を除去する。具体的には、負極性の電荷を感光体ドラム２１に付与することで、正極性を呈する静電潜像の履歴が除去されるようになっている。電荷付与装置２６としては、例えば、コロナ放電方式（非接触帯電方式）のコロトロンが用いられる。
【００３１】
清掃装置２５は、図２に示されるように、転写装置３０へのトナー像の転写後に感光体ドラム２１の表面に残留した残留トナーを除去するブラシ２５１と、当該残留トナーを感光体ドラム２１の表面から掻き取るブレード２５２と、を有している。また、清掃装置２５は、ブラシ２５１に対する感光体ドラム２１の回転方向上流側（下方側）に配置されたシール部材２５３を有している。
【００３２】
シール部材２５３は、上端部（下流端部）が感光体ドラム２１に接触しており、下端部（上流端部）が感光体ドラム２１から離間している。シール部材２５３は、ブレード２５２が掻き取ったトナーやブラシ２５１が除去したトナーを、筐体２５４内（図２における左側）へ落下させるように、当該トナーを案内する。
【００３３】
（転写装置）
転写装置３０は、各色の感光体ドラム２１のトナー像を、転写体の一例としての転写ベルト３１（中間転写体）に重畳して一次転写し、該重畳されたトナー像を記録媒体Ｐに二次転写するようになっている。以下、具体的に説明する。
【００３４】
転写ベルト３１は、図１に示されるように、無端状を成し、複数のロール３２に巻き掛けられて姿勢が決められている。この実施の形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。
【００３５】
転写ベルト３１は、矢印Ａ方向に周回することで、一次転写された画像を転写ニップＮＴ（二次転写位置）へ搬送するようになっている。
【００３６】
また、複数のロール３２のうち、図１に示すロール３２Ｔは、転写ベルト３１に張力を付与する張力付与ロールとして機能する。複数のロール３２のうち、図１に示すロール３２Ｂは、後述する二次転写ロール３４の対向ロールとして機能する。ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３７】
転写ベルト３１の内側には、各感光体ドラム２１のトナー像を転写ベルト３１に転写させる一次転写ロール３３（転写部材の一例）が配置されている。各一次転写ロール３３は、転写ベルト３１を挟んで対応する色の感光体ドラム２１に対して対向配置されている。また、一次転写ロール３３は、給電部７２によって、トナー極性とは逆極性の転写電圧が印加されるようになっている。この転写電圧の印加により、感光体ドラム２１に形成されたトナー像が転写ベルト３１に転写される構成である。
【００３８】
また、転写装置３０は、転写ベルト３１に重畳されたトナー像を記録媒体Ｐに転写する二次転写ロール３４を備えている。二次転写ロール３４は、ロール３２Ｂとの間に転写ベルト３１を挟むように配置され、転写ベルト３１との間に転写ニップＮＴを形成している。この転写ニップＮＴには、媒体供給部５２から適時に記録媒体Ｐが供給されるようになっている。二次転写ロール３４は、給電部７２によって、トナー極性とは逆極性の転写電圧が印加されるようになっている。この転写電圧の印加により、転写ニップＮＴを通過する記録媒体Ｐに、転写ベルト３１からトナー像が転写されるようになっている。
【００３９】
さらに、転写装置３０は、二次転写後に転写ベルト３１を清掃する清掃装置３５を備えている。清掃装置３５は、転写ベルト３１の周回方向において、二次転写が行われる部分（転写ニップＮＴ）の下流側で、かつ一次転写が行われる部分の上流側に配置されている。清掃装置３５は、転写ベルト３１の表面に残留したトナーを転写ベルト３１の表面から掻き取るブレード３５１を備えている。
【００４０】
（定着装置）
定着装置４０は、転写装置３０においてトナー像が転写された記録媒体Ｐに、該トナー像を定着させるようになっている。具体的には、定着装置４０は、加熱ロール４１と、加圧ロール４２によって、定着ニップＮＦにおいてトナー像を加熱しつつ加圧することで、トナー像を記録媒体Ｐに定着する構成とされている。
【００４１】
（搬送装置）
図１に示されるように、搬送装置５０は、媒体供給部５２と、中間搬送部５８と、下流側搬送部５４と、を有している。
【００４２】
媒体供給部５２は、記録媒体Ｐが積載して収容される収容器５２１を備えている。収容器５２１から二次転写位置である転写ニップＮＴまでには、複数の搬送ロール対５２２及び図示しないガイド等によって媒体供給経路５２Ｐが形成されている。
【００４３】
そして、収容器５２１の上側には、収容器５２１に積載された最上位の記録媒体Ｐを送り出す送出ロール５２３が配置されている。複数の搬送ロール対５２２のうち、記録媒体Ｐの搬送方向の最上流側の搬送ロール対５２２Ｓは、送出ロール５２３によって収容器５２１から重なって送り出された記録媒体Ｐを一枚ずつに分離する分離ロールとして機能する。また、複数の搬送ロール対５２２のうち、記録媒体Ｐの搬送方向において転写ニップＮＴの直上流に位置する搬送ロール対５２２Ｒは、転写ベルト３１上のトナー像の移動タイミングと記録媒体Ｐの搬送タイミングを合わせるように動作されるようになっている。
【００４４】
図１に示されるように、中間搬送部５８は、転写装置３０の転写ニップＮＴから定着装置４０の定着ニップＮＦまでの間に配置され、ロールに巻き掛けられた無端状の搬送ベルトを備えたベルト搬送部材５８１を複数備えている。
【００４５】
ベルト搬送部材５８１の内側から空気を吸引（負圧吸引）して記録媒体Ｐを搬送ベルトの表面に吸い付けながら搬送ベルトが周回して記録媒体Ｐを搬送するようになっている。
【００４６】
図１に示されるように、下流側搬送部５４は、定着装置４０の下流側に配置され、ロールに巻き掛けられた無端状の搬送ベルトを備えたベルト搬送部材５４１を備えている。ベルト搬送部材５４１は、定着装置４０でトナー像が定着された記録媒体Ｐを、記録媒体Ｐを収容する排出部（図示省略）へ向けて搬送するようになっている。
【００４７】
＜画像形成装置の電気的構成＞
次に、画像形成装置の電気的構成について説明する。
図３は本発明の実施の形態に係る画像形成装置の電気的構成の一例を示すブロック図である。図３に示すように、制御部７０は、装置全体の制御及び各種演算を行うコンピュータとして構成されている。即ち、制御部７０は、ＣＰＵ（中央処理装置;  Central Processing Unit）７０Ａ、ＲＯＭ（Read Only Memory）７０Ｂ、ＲＡＭ（Random Access Memory）７０Ｃ、不揮発性のメモリ７０Ｄ、及び入出力インターフェース（Ｉ／Ｏ）７０Ｅを備えている。本実施の形態では、後述する「白色画像モード処理」を実行するためのプログラムは、ＲＯＭ７０Ｂに記憶されている。
【００４８】
ＣＰＵ７０Ａ、ＲＯＭ７０Ｂ、ＲＡＭ７０Ｃ、メモリ７０Ｄ、及びＩ／Ｏ７０Ｅの各々は、バス７０Ｆを介して互いに接続されている。ＣＰＵ７０Ａは、ＲＯＭ７０Ｂに記憶されたプログラムを読み出して、ＲＡＭ７０Ｃをワークエリアとしてプログラムを実行する。制御部７０のＩ／Ｏ７０Ｅには、画像形成部１２、搬送装置５０、給電部７２、操作表示部１００、通信部１０２、及び記憶部１０４の各部が接続されている。制御部７０は、これら各部を制御する。
【００４９】
操作表示部１００は、スタートボタンやテンキー等の各種ボタン、設定画面等の各種画面を表示するためのタッチパネルなどを含んで構成されている。操作表示部１００は、上記構成により、利用者の操作を受け付けると共に、利用者に各種情報を表示する。
【００５０】
通信部１０２は、有線又は無線の通信回線を介して外部装置と通信を行うためのインターフェースである。例えば、ＬＡＮ（Local Area Network）等のネットワークに接続されたコンピュータと通信を行うためのインターフェースとして機能する。記憶部１０４は、ハードディスク等の記憶装置を備えている。記憶部１０４には、ログデータ等の各種データ等が記憶される。
【００５１】
画像情報は、画像形成装置内の画像読取装置（図示せず）から取得してもよく、通信部１０２を介して外部装置から取得してもよい。画像形成指示及び設定情報は、操作表示部１００から取得してもよく、通信部１０２を介して外部装置から取得してもよい。ここで「設定情報」とは、利用者により設定された画像形成条件に関する情報である。また、各種プログラムも、通信部１０２を介して外部装置から取得してもよい。
【００５２】
なお、制御部７０には、各種ドライブが接続されていてもよい。各種ドライブは、光磁気ディスク、ＣＤ−ＲＯＭ、ＵＳＢ（Universal Serial Bus)メモリなどのコンピュータ読み取り可能な可搬性の記録媒体からデータを読み込んだり、記録媒体に対してデータを書き込んだりする装置である。各種ドライブを備える場合には、可搬性の記録媒体にプログラムを記録しておいて、これを対応するドライブで読み込んで実行してもよい。
【００５３】
＜画像形成装置の動作＞
次に、画像形成装置の動作について説明する。
（白色トナーと有色トナー）
本実施の形態では、ＹＭＣＫの４色の外に、第２特別色（Ｗ）として白色が用いられる。第１特別色（Ｖ）は使用しない。白色トナーは、白色顔料とバインダー樹脂と各種添加剤とを含んで構成されている。ＹＭＣＫの各色の有色トナーは、各色顔料とバインダー樹脂と各種添加剤とを含んで構成されている。ここで「有色」とは、透明や白色ではないことを意味する。これらのトナーは、キャリアと組み合わせることにより現像剤として使用される。
【００５４】
白色トナー及び有色トナーの各々は、中心粒径を３μｍ以上９μｍ以下の範囲とし、比重を１以上１．７以下の範囲としてもよい。例えば、中心粒径６μｍ、比重１．４の白色トナーを用いてもよい。白色トナーによる隠蔽率を上げるために、有色トナーよりも中心粒径が大きな白色トナーを使用してもよい。
【００５５】
（画像形成モード）
図４は本発明の実施の形態に係る画像形成装置の操作表示部に表示される設定画面の一例を示す模式図である。図４に示すように、本実施の形態では、画像形成モードの選択肢として、通常モード、白色下地モード、及び白色画像モードが用意されている。利用者は、図４に示す設定画面１０６を操作していずれかのモードを選択し、画像形成モードとして設定する。制御部７０は、選択されたモードに応じて画像形成の制御を実行する。
【００５６】
通常モードは、例えば白色の記録媒体に、有色トナーにより有色画像を形成する態様である。有色画像と共に、白色トナーにより白色画像が形成されてもよい。白色下地モードは、例えば有色の記録媒体に、白色トナーにより白色ベタ画像を下地として形成する態様である。白色ベタ画像上に、有色トナーにより有色画像が形成されてもよい。
【００５７】
白色画像モードは、白色の画像データに基づいて形成される白色画像（以下、「元の白色画像」という。）の網点面積率の値に応じて、有色の記録媒体に異なる画像を形成する態様である。元の白色画像の網点面積率が閾値以下の場合は、有色の記録媒体に白色トナーにより元の白色画像を形成する。元の白色画像の網点面積率が閾値より大きく且つ１００％未満の場合は、有色の記録媒体に白色トナーにより白色ベタ画像を形成する。白色ベタ画像は下地として形成される。そして、白色ベタ画像上に有色トナーにより記録媒体と同じ色の有色画像を形成する。ここで「同じ色」とは、比較せずに同じ色だと認識される程度でよい。
【００５８】
以下では、記録媒体の色が黒色（Ｋ）の場合について説明する。黒色は有色の一例である。図５（Ａ）は黒色の記録媒体上に白色トナーで形成された白色画像を示す模式図である。白色画像は、白色ドット（Ｗ）を形成することで得られる画像である。この白色単色の画像を「Ｗ画像」と称する。一方、図５（Ｂ）は黒色の記録媒体に形成された白色ベタ画像上に黒色トナーで形成された黒色画像を示す模式図である。黒色画像は、黒色ドット（Ｋ）を形成することで得られる画像である。白色ベタ画像上に黒色画像を重ねた重畳画像を「（Ｗ＋Ｋ）画像」と称する。
【００５９】
（総合ばらつき値）
白色画像モードで、元の白色画像の網点面積率の値に応じて、形成する画像を変更するのは、得られる画像を構成するドットのばらつきを低減するためである。ドットのばらつきが大きいと、得られる画像の「粒状感」が悪化し、見た目の「ノイズ感」が目立つようになる。ドットのばらつきには、ドットが形成される位置がずれる「ドット位置のばらつき」、形成されるドットの形状が異なる「ドット形状のばらつき」、形成されるドットの色味が異なる「ドット色味のばらつき」等がある。ここで「ドット形状のばらつき」は「ドット面積のばらつき」と同義である。
【００６０】
本実施の形態では、種々の要因で生じるドットのばらつきを「総合ばらつき値」という指標で評価する。「総合ばらつき値」は、得られる画像の明度Ｌ＊、色相ａ＊、及び色相ｂ＊を測定し、これらの測定値から細かな色味のむらを数値化したものである。明度Ｌ＊、色相ａ＊、及び色相ｂ＊の各々は、ＣＩＥ１９７６Ｌ＊ａ＊ｂ＊表色系において定義されている。
【００６１】
総合ばらつき値が大きいほど、小さい場合に比べ、画像の細かな色味のむらが大きいことを表す。ドット位置のばらつきやドット形状のばらつきも、画像上では細かな色味のむらとして現れるので、同じ手法で数値化される。したがって、「総合ばらつき値」は、種々の要因で生じるドットのばらつきを総合的に評価する指標となる。また、総合ばらつき値による評価結果は、感応評価の結果とも一致する。
【００６２】
図６は黒色の記録媒体上に形成された画像の総合ばらつき値を示すグラフである。横軸は元の白色画像の網点面積率（以下、「白面積率」という。）を表し、縦軸は総合ばらつき値を表す。実線は黒色の記録媒体上に形成されたＷ画像の総合ばらつき値を表し、点線は黒色の記録媒体上に形成された（Ｗ＋Ｋ）画像の総合ばらつき値を表す。
【００６３】
図示した例では、元の白色画像の白面積率が５０％未満では、（Ｗ＋Ｋ）画像の総合ばらつき値が、Ｗ画像の総合ばらつき値よりも大きい。元の白色画像の白面積率が５０％と１００％とでは、Ｗ画像の総合ばらつき値と（Ｗ＋Ｋ）画像の総合ばらつき値とが等しくなる。元の白色画像の白面積率が５０％より大きく且つ１００％未満では、Ｗ画像の総合ばらつき値が、（Ｗ＋Ｋ）画像の総合ばらつき値よりも大きい。
【００６４】
なお、元の白色画像の白面積率が５０％で、Ｗ画像の総合ばらつき値と（Ｗ＋Ｋ）画像の総合ばらつき値とが等しくなるのは、白面積率５０％は中間調の代表値であり、Ｗ画像及び（Ｗ＋Ｋ）画像のいずれでも総合ばらつき値が大きくなるためだと推測される。また、元の白色画像の白面積率が１００％で、Ｗ画像の総合ばらつき値と（Ｗ＋Ｋ）画像の総合ばらつき値とが等しくなるのは、（Ｗ＋Ｋ）画像において黒色ドットが形成されないからである。
【００６５】
したがって、領域Ａのように、Ｗ画像の総合ばらつき値が（Ｗ＋Ｋ）画像の総合ばらつき値よりも大きい領域では、Ｗ画像に代えて（Ｗ＋Ｋ）画像を形成する方が、総合ばらつき値が小さくなる。即ち、元の白色画像をそのまま形成するよりも、白色ベタ画像上に黒色画像を重ねた重畳画像を形成する方が、得られる画像を構成するドットのばらつきが低減されるのである。
【００６６】
例えば、Ｗ画像の総合ばらつき値と（Ｗ＋Ｋ）画像の総合ばらつき値とが等しくなる白面積率５０％を閾値として、Ｗ画像を形成するか、（Ｗ＋Ｋ）画像を形成するかを切り替えるとよい。元の白色画像の白面積率が５０％以下の場合には、Ｗ画像を形成する。元の白色画像の白面積率が５０％より大きく且つ１００％未満の場合には、Ｗ画像に代えて（Ｗ＋Ｋ）画像を形成する。これにより、総合ばらつき値は、切り替えない場合の総合ばらつき値よりも小さくなる。なお、本実施の形態では、ドット位置のばらつきは小さいので、主に、ドット形状のばらつきとドット色味のばらつきとの間でのトレードオフになる。
【００６７】
図７（Ａ）は黒色の記録媒体上にＷ画像が形成された状態を示す模式図である。図７（Ｂ）は黒色の記録媒体上に（Ｗ＋Ｋ）画像が形成された状態を示す模式図である。ここで、白色トナーの粒径は、黒色トナーの粒径より大きい。図７（Ａ）に示すように、黒色の記録媒体上に白面積率が７０％のＷ画像を形成した場合、領域Ｂでは、白色ドット間に黒色の記録媒体が露出し、黒色ドットのように見える。領域Ｂの黒色ドットは、形状が歪んでいる。図７（Ａ）に示す例では、黒色ドット同士は形状が各々異なり、ドット形状のばらつきが大きい。
【００６８】
一方、黒色の記録媒体上に（Ｗ＋Ｋ）画像を形成した場合、図７（Ｂ）に示すように、元の白色画像の白色ドット間に対応する部位（例えば、領域Ｂに対応する領域Ｃ）に黒色ドットが形成される。このように、記録媒体と同じ色の黒色ドットを白色ベタ画像上に形成すると、黒色の記録媒体上にＷ画像を形成した場合と、白色の割合（白面積率）及び色合いが同じ画像が形成される。白色画像の白面積率７０％は、黒色画像の黒面積率３０％に相当する。領域Ｃに形成される黒色ドットは、図７（Ａ）の領域Ｂの黒色ドットに比べて、形状が円に近付いておりコントラストもよい。図７（Ｂ）に示す例では、黒色ドット同士は形状が類似し、図７（Ａ）に示す黒色ドットに比べてドット形状のばらつきが小さい。
【００６９】
また、Ｗ画像の総合ばらつき値が（Ｗ＋Ｋ）画像の総合ばらつき値よりも小さい領域では、Ｗ画像を形成する方が、総合ばらつき値が小さくなる。即ち、元の白色画像をそのまま形成する方が、得られる画像を構成するドットのばらつきが低減される。図８（Ａ）は黒色の記録媒体上にＷ画像が形成された状態を示す模式図である。図８（Ｂ）は黒色の記録媒体上に（Ｗ＋Ｋ）画像が形成された状態を示す模式図である。
【００７０】
図８（Ａ）に示すように、黒色の記録媒体上に白面積率が２０％のＷ画像を形成した場合、白色ドット間に黒色の記録媒体が露出するが、露出範囲が広いため黒色ドットのようには見えない。また、白色ドットの形状は丸い。白色ドット同士は形状が類似し、ドット形状のばらつきは小さい。
【００７１】
一方、黒色の記録媒体上に白面積率の２０％の（Ｗ＋Ｋ）画像を形成した場合、図８（Ｂ）に示すように、元の白色画像の白色ドット間に対応する部位に黒色ドットが形成される。黒色ドットが形成される領域が多くなると、白色ベタ画像との間で混色が発生する。例えば、領域Ｄに形成される黒色ドットは、白色ベタ画像との混色により、他の黒色ドットとは色味が異なる。黒色ドット同士は色味が異なり、ドット色味のばらつきが大きい。また、黒色ドット間に白色ベタ画像が露出し、白色ドットのように見えるが、白色ドット同士は形状が各々異なり、ドット形状のばらつきが大きい。
【００７２】
なお、図７及び図８は、白色トナーの粒径が黒色トナーの粒径より大きい場合を図示している。しかしながら、上記の事象は、白色トナーの粒径と黒色トナーの粒径とが等しい場合も起きる。白色トナーの粒径と黒色トナーの粒径とが等しい場合は、図６に一点鎖線で示すように「Ｗ画像」の総合ばらつき値が全体的に低下する。
【００７３】
換言すれば、白色トナーの粒径が黒色トナーの粒径より大きい場合は、Ｗ画像に代えて（Ｗ＋Ｋ）画像を形成すると、トナー粒径が等しい場合に比べて、総合ばらつき値が大幅に低減される。特に、ドット形状のばらつきを抑制する効果が高くなる。これは、粒径の大きな白色トナーは、画像の細部を描くのに不向きであるのに対し、粒径の小さい黒色トナーによれば、画像の細部もきれいに描かれるからである。
【００７４】
（画像形成手順）
次に、図１及び図２を参照して各モードの画像形成手順について説明する。各モードの手順は、利用者により設定されたモードでの画像形成が指示されると開始される。なお、手順を開始する際には、取得された画像情報は、画像形成用の各色の画像データ（ラスタデータ）に変換されているものとする。
【００７５】
−通常モードの画像形成手順−
通常モードが選択された場合に、制御部７０は、ＹＭＣＫ各色のトナー像形成部２０Ｙ〜２０Ｋ、白色のトナー像形成部２０Ｗを含む画像形成部１２及び搬送装置５０の各部に指示して、記録媒体Ｐ上に有色画像と白色画像とが形成されるように、画像形成の制御を行う。
【００７６】
図１に示されるように、ＹＭＣＫ各色のトナー像形成部２０Ｙ〜２０Ｋ、白色のトナー像形成部２０Ｗ、転写装置３０、及び定着装置４０を作動させる。これにより、図２に示されるように、各色のトナー像形成部２０の感光体ドラム２１、現像装置２４の現像ロール２４１が回転され、転写ベルト３１が周回される。また、加圧ロール４２が回転されると共に、加熱ロール４１が周回される。さらに、これらの動作に同期して、制御部７０は、搬送装置５０等を作動させる。
【００７７】
各色の感光体ドラム２１は、回転されながら帯電器２２によって帯電される。また、制御部７０は、画像データを各露光装置２３に渡す。各露光装置２３は、画像データに応じて各露光光Ｌを出射して、帯電した各感光体ドラム２１に露光する。すると、各感光体ドラム２１の表面に静電潜像が形成される。各感光体ドラム２１に形成された静電潜像は、現像装置２４から供給される現像剤によって現像される。これにより、各色の感光体ドラム２１には、ＹＭＣＫ各色及び白色のトナー像が形成される。
【００７８】
各色の感光体ドラム２１に形成された各色のトナー像は、各色の一次転写ロール３３への転写電圧の印加によって、周回する転写ベルト３１に順次転写される。これにより、転写ベルト３１には、各色のトナー像が重畳された重畳トナー像が形成される。この重畳トナー像は、転写ベルト３１の周回によって転写ニップＮＴに搬送される。
【００７９】
この転写ニップＮＴには、図１に示されるように、媒体供給部５２の搬送ロール対５２２Ｒによって重畳トナー像の搬送にタイミングを合わせて記録媒体Ｐが供給される。この転写ニップＮＴにおいて転写電圧が印加されることで、転写ベルト３１から重畳トナー像が記録媒体Ｐに転写される。
【００８０】
トナー像が転写された記録媒体Ｐは、中間搬送部５８によって転写ニップＮＴから定着ニップＮＦに向けて、搬送される。定着装置４０は、定着ニップＮＦを通過する記録媒体Ｐに熱及び圧力を付与する。これにより、記録媒体Ｐに転写されたトナー像が定着される。定着装置４０から排出された記録媒体Ｐは、下流側搬送部５４のベルト搬送部材５４１によって、図示しない排出部に向けて搬送される。
【００８１】
−白色下地モードの画像形成手順−
白色下地モードが選択された場合に、制御部７０は、白色トナーにより白色ベタ画像を形成するための白色ベタの画像データを生成する。続いて、制御部７０は、ＹＭＣＫ各色のトナー像形成部２０Ｙ〜２０Ｋ、白色のトナー像形成部２０Ｗを含む画像形成部１２及び搬送装置５０の各部に指示して、記録媒体Ｐ上に白色ベタ画像と有色画像とが重ねて形成されるように、画像形成の制御を行う。
【００８２】
白色ベタの画像データを用いて、白色のトナー像形成部２０Ｗにより感光体ドラム２１Ｗ上に白色ベタのトナー像を形成する以外は、通常モードと同様にして、記録媒体Ｐ上に画像を形成する。白色ベタ画像と有色画像とが重ねて形成された記録媒体Ｐは、図示しない排出部に向けて搬送される。
【００８３】
−白色画像モードの画像形成手順−
白色画像モードが選択された場合に、制御部７０は「白色画像モード処理」を実行する。即ち、制御部７０のＣＰＵ７０Ａは、「白色画像モード処理」を実行するためのプログラムをＲＯＭ７０Ｂから読み出し、ＲＡＭ７０Ｃをワークエリアとして使用して、プログラムを実行する。
【００８４】
図９は本発明の実施の形態に係る画像形成装置の制御部で実行される「白色画像モード処理」の手順の一例を示すフローチャートである。上記の通り、「白色画像モード処理」は、利用者により設定されたモードでの画像形成が指示されると開始される。「白色画像モード処理」が開始されると、制御部７０は、ＹＭＣＫ各色のトナー像形成部２０Ｙ〜２０Ｋ、白色のトナー像形成部２０Ｗ、転写装置３０、定着装置４０、及び搬送装置５０の各部に指示して、画像形成の制御を行う。
【００８５】
まず、ステップ１００で、画像形成に用いる記録媒体Ｐの色及び種類に関する情報を取得する。記録媒体の色及び種類に関する情報は、利用者の設定に基づいて、記録媒体が収容される収容器と関連付けて記憶されている。なお、図１では１つの収容器５２１を図示するが、画像形成装置１０は複数の収容器を備えている。図１０は収容器と記録媒体の色及び種類との関係の一例を示す図表である。複数の収容器と記録媒体の色及び種類との関係は、例えば、図１０に示すテーブル形式で制御部７０のメモリ７０Ｄに記憶されている。
【００８６】
図１０に示すように、記録媒体の色としては、白色、黒色、青色等がある。記録媒体の種類としては、普通紙、再生紙、コート紙等がある。図示した例では、収容器１から収容器６までの複数の収容器があり、収容器毎に異なる記録媒体の色及び種類の組合せが設定されている。例えば、利用者により収容器５が選択された場合は、設定情報（画像形成条件）から収容器５が特定され、収容器５に関連付けられた記録媒体の色（黒色）と記録媒体の種類（再生紙）の情報が取得される。
【００８７】
次に、ステップ１０２で、取得された色情報から記録媒体が有色か否かを判断する。上記の通り、有色とは、透明や白色ではないことを意味する。記録媒体が有色の場合は、ステップ１０４に進む。一方、記録媒体が有色ではない場合は、ステップ１１６に進む。
【００８８】
次に、ステップ１０４で、白色の画像データに基づいて形成される白色画像の網点面積率（元の白色画像の白面積率）を取得し、元の白色画像の白面積率が閾値より大きく且つ１００％未満か否かを判断する。元の白色画像の白面積率が閾値より大きく且つ１００％未満の場合は、ステップ１０６に進む。一方、元の白色画像の白面積率が閾値以下の場合は、ステップ１１６に進む。
【００８９】
上記では、Ｗ画像の総合ばらつき値と（Ｗ＋Ｋ）画像の総合ばらつき値とが等しくなる白面積率５０％を閾値としたが、ここでの「閾値」は、記録媒体の種類に応じて予め設定されている。上記のドットのばらつきは、記録媒体の種類に応じて変化する。したがって、記録媒体の種類に応じて閾値を設定してもよい。
【００９０】
図１１は記録媒体の種類と閾値との関係の一例を示す図表である。記録媒体の種類と閾値との関係は、例えば、図１１に示すテーブル形式で制御部７０のメモリ７０Ｄに記憶されている。図示した例では、普通紙の場合は閾値「Ｘ」、再生紙の場合は閾値「Ｙ」、コート紙の場合は閾値「Ｚ」等、記録媒体の種類に応じて異なる閾値が設定されている。例えば、利用者により収容器５が選択された場合は、収容器５に関連付けられた記録媒体の種類（再生紙）に対応する「Ｙ」が閾値となる。
【００９１】
例えば、普通紙に比べて繊維による色味むらが大きい再生紙では、総合ばらつき値が大きくなる。したがって、普通紙の場合の閾値を「白面積率５５％」とし、再生紙の場合の閾値を「白面積率５０％」とする等、再生紙の場合の閾値を普通紙の場合の閾値よりも低くしてもよい。また、上記のドットのばらつきは記録媒体の色によっても変化するので、記録媒体の種類及び色に応じて異なる閾値を設定してもよい。
【００９２】
ステップ１０６では、白色トナーにより白色ベタ画像を形成するための白色ベタの画像データを生成する。続くステップ１０８では、ステップ１００で取得された色の有色画像を形成するための有色画像データを生成する。例えば、取得された色が「黒色」の場合は、Ｋ色の画像データを生成する。上記の通り、元の白色画像の白色ドット間に対応する部位に黒色ドットが形成されるように、Ｋ色の画像データを生成する。ここでは、Ｋ色の画像データを生成する場合について説明するが、Ｋ色の画像データの代わりに、ＹＭＣ各色の画像データを生成してもよい。
【００９３】
ステップ１１０では、白色ベタの画像データに基づいて白色のトナー像を形成するように、白色のトナー像形成部２０Ｗに指示する。白色の感光体ドラム２１Ｗには、白色ベタの画像データに応じた白色のトナー像が形成される。続くステップ１１２では、Ｋ色の画像データに基づいてＫ色のトナー像を形成するように、Ｋ色のトナー像形成部２０Ｋに指示する。Ｋ色の感光体ドラム２１Ｋには、Ｋ色の画像データに応じたＫ色のトナー像が形成される。
【００９４】
ステップ１１４では、白色のトナー像とＫ色（黒色）のトナー像とを記録媒体Ｐ上に転写及び定着するように、転写装置３０、定着装置４０、及び搬送装置５０の各部に指示して、ルーチンを終了する。
【００９５】
上記のステップ１０６からステップ１１４により、元の白色画像の白面積率が閾値より大きく且つ１００％未満の場合には、有色の記録媒体Ｐ上に白色ベタ画像と黒色画像とが重ねて形成される。元の白色画像をそのまま形成する場合に比べて、ドット形状のばらつきが少ない画像が形成される。
【００９６】
一方、ステップ１１０からステップ１１６に進んだ場合には、ステップ１１６で、白色の画像データに基づいて白色のトナー像を形成するように、白色のトナー像形成部２０Ｗに指示する。続くステップ１１８で、白色のトナー像を記録媒体Ｐ上に転写及び定着するように、転写装置３０、定着装置４０、及び搬送装置５０の各部に指示して、ルーチンを終了する。
【００９７】
上記のステップ１１６からステップ１１８により、元の白色画像の白面積率が閾値以下の場合には、有色の記録媒体Ｐ上に元の白色画像が形成される。元の白色画像に代えて白色ベタ画像上に有色画像を形成する場合に比べて、ドット色味のばらつきが少ない画像が形成される。
【００９８】
＜変形例＞
なお、上記実施の形態で説明した画像形成装置及びプログラムの構成は一例であり、本発明の主旨を逸脱しない範囲内においてその構成を変更してもよいことは言うまでもない。
【００９９】
上記の実施の形態では、記録媒体の色に関する情報が、収容器と関連付けて予め記憶されている例について説明したが、記録媒体の色に関する情報は、画像形成に使用する記録媒体から得られたものでもよい。例えば、収容器５２１と転写ニップＮＴとの間にある媒体供給経路５２Ｐ（図１参照）に、スキャナ等の画像読取装置を配置して、画像形成に使用する記録媒体の色を読み取り、記録媒体の色に関する情報を取得してもよい。複数の記録媒体に一連の画像を形成する場合は、最初に画像を形成する記録媒体の色を読み取ればよい。
【符号の説明】
【０１００】
１０   画像形成装置
１２   画像形成部
２０   トナー像形成部
２１   感光体ドラム
２２   帯電器
２３   各露光装置
２３   露光装置
２４   現像装置
２５   清掃装置
２６   電荷付与装置
３０   転写装置
３０   黒面積率
３１   転写ベルト
３２   ロール
３３   一次転写ロール
３４   二次転写ロール
３５   清掃装置
４０   定着装置
４１   加熱ロール
４２   加圧ロール
５０   搬送装置
５２   媒体供給部
５４   下流側搬送部
５８   中間搬送部
７０   制御部
７２   給電部
１００ 操作表示部
１０２ 通信部
１０４ 記憶部
１０６ 設定画面
５２１ 収容器
ＮＦ   定着ニップ
ＮＴ   転写ニップ
Ｐ     記録媒体
【図１】
2018156031.tif 000003
【図２】
2018156031.tif 000004
【図３】
2018156031.tif 000005
【図４】
2018156031.tif 000006
【図５】
2018156031.tif 000007
【図６】
2018156031.tif 000008
【図７】
2018156031.tif 000009
【図８】
2018156031.tif 000010
【図９】
2018156031.tif 000011
【図１０】
2018156031.tif 000012
【図１１】
2018156031.tif 000013